(57)【要約】【課題】所望の強度を有する伸縮脚部とし、伸縮が困難になるようなことがない台座等とする。【解決手段】主脚の４側面に沿わせて伸縮脚９を平行に配し、両脚がそれらの長手方向に相対的に移動可能とする。いずれか一方の脚４・９には、長手方向に適宜間隔離れた複数個の孔１１を形成する。他方の脚４・９からは、その孔１１に向って出没可能としたピン７によって両脚４・９を固定可能とする。【作用】一方のパイプ材を他方のパイプ材の中に収納する脚部２でないため、脚部２として所望の強度を有する部材を採用できる。脚４・９の側面が破損しても、伸縮が不可能となることがない。【選択図】        図２
2004332353.tif 000002
【特許請求の範囲】
【請求項１】
主脚の側面に沿わせて伸縮脚を平行に配し、両脚がそれらの長手方向に相対的に移動可能なように連結し、主脚と伸縮脚のうちのいずれか一方の脚の側面に形成した長手方向に適宜間隔づつ離隔した複数の孔のいずれかに、他方の脚側から出没させるピンによって、両脚の位置を固定可能としてなる台座等の伸縮脚部。
【請求項２】
主脚と伸縮脚は共にパイプ材より成っていることを特徴とする請求項１記載の台座等の伸縮脚部。
【発明の詳細な説明】
【０００１】
【発明の属する技術分野】
この発明は建築現場などで作業員が乗って作業をするために使用される仮設の台座等に関するものであり、特にその台座等の高さを調整するために伸縮する脚部に関するものである。
【０００２】
【従来の技術】
建築現場などで仮設の足場として使用する台座や、一般に脚立などと言われて使用されている梯子などが存在する。これらは現場の作業状況に応じてその高さを調整可能なものが好ましく、床や地面に立脚する脚部が伸縮可能なものが一般的である。それら伸縮可能な脚部としては、図４に示すような構造が広く採用されている。脚部を二本のパイプ材によって構成し、一方のパイプ材ａの径を大きなものとし、他方のパイプ材ｂの径をその内径よりも小さな外径とし、一方のパイプ材ａの中に他方のパイプ材ｂを収納し、パイプ材ｂがパイプ材ａの中で自在に移動可能にしてある。脚部の高さを固定するには、一方のパイプ材ａの孔ｃからピンｅを挿入し、内側のパイプ材ｂの長手方向に適宜間隔空けて形成した複数の孔ｄから適宜な孔ｄを選択して通すものである。
【０００３】
【発明が解決しようとする課題】
このような従来の伸縮脚部における課題は、脚部の強度の問題である。パイプ材を使用するのは、既製のパイプ材を採用して安価に製造できることと、全体の重量を軽量化するためである。このような一方のパイプ材の中に、それよりも小さな径のパイプ材を収納するのであるが、径が小さくなる分、内側へ収納するパイプ材の強度は小さくなってしまう。つまり伸縮する部分の強度が小さくなり、台座としての信頼性が損なわれてしまう。
【０００４】
内側のパイプ材の強度を高めるため、出来る限り外側のパイプ材の径に近づけて強度を確保すればよい。このために外側のパイプ材の肉厚を薄くして、出来る限り大きな径のパイプ材を内側に収納することが考えられる。しかしながらこうすると、肉厚を薄くした分今度は外側のパイプ材の強度が小さくなり、やはり問題となる。また肉厚を薄くしたために、何かがぶつかってパイプ材が窪んだりする破損が生じ易くなる。外側のパイプ材が内側に窪むと、中に収納したパイプ材にぶつかってスムーズな伸縮が困難になるなどの問題が生じることがあった。
【０００５】
【課題を解決するための手段】
この発明はパイプ材を使用した主脚と伸縮脚として、その望ましい強度のものを適宜選択し、両者を沿わして平行に配し、両者がそれらの長手方向に相対的に移動可能とすることにより、脚部としての強度を確保した台座等の伸縮脚部を提供することを目的とするものである。
【０００６】
【発明の実施の形態】
この発明にかかる台座等の伸縮脚部は、強度を確保した主脚と伸縮脚を使用し、一方を他方の中に収納するのではなく、両者を平行に沿わして相対的に移動可能とするものである。主脚と伸縮脚としては鋼製やアルミニウム製などの金属製のパイプ材を使用することができる。パイプ材の外形にはこだわらず、断面円形の丸パイプでもよいし、方形の角パイプであってもよい。パイプ材の太さ、外径や肉厚は、所望する脚部の強度に合わせて適宜選択できる。主脚と伸縮脚は同じ太さや外径のものを使用してもよいし、違うものを使用してもよい。
【０００７】
主脚と伸縮脚の両者を平行に配し、相対的に移動可能とするいうのは、主脚に対して伸縮脚がそれらの長手方向に自在にズレるようにするもので、その両者を連結するためには、少なくとも一方の脚の側方に他方の脚を通すことができるブラケットなどを突き出し固定して、これに他方の脚を通して両者が相対的に移動可能であって、一体となるようにすることもできる。その他、両脚を通すことができる環状の連結部材を採用し、この中に二本の脚を通すなどの手段を採用してもよい。
【０００８】
主脚と伸縮脚のうち、いずれか一方の脚には、その側面に長手方向に適宜間隔づつ離れて孔を形成してある。この孔のいずれかに、他方側の脚からピンを通して、両者を固定可能とする。ここで他方側というのは、必ずしも他方の脚そのものを意味するのではなく、他方の脚と一体となって移動する部分をいうものである。例えば、孔を伸縮脚側に形成したとすれば、ピンは主脚そのものに取り付けてもよいし、主脚に固定して伸縮脚を通すようにしたブラケットに取付けて、ブラケットから伸縮脚の孔の方へ突き出るようにしてもよい。ここでいうピンとは、孔に係止するための部材を広く指し、その形状は様々なものを使用できる。
【０００９】
以上のような主脚と伸縮脚は、一方を他方の中に収納するのではないため、両者の太さ、外形、肉厚のいずれも限定されることなく、任意のものを選択できる。したがって脚部の強度を所望のものにすることができる。主脚に対して伸縮脚が相対的に移動可能であるため、主脚に対する伸縮脚の相対的位置を決定し、適宜の孔にピンを引掛けることにより、脚部全体の長さが定まる。このような台座等を立脚することにより、台座や梯子の高さを適宜決定できる。
【００１０】
【実施例】
以下、図に示す実施例に基づき、この発明を詳細に説明する。図１に示すのは仮設の現場において使用する台座であって、作業員が乗る台板（天板）１の左右に、脚部２・２が取付けられている。図において３・３は、脚部２・２の開き角度を決定するクロスバーである。脚部２・２は、まず台板１に回転可能に取付けられた左右の主脚４・４があり、その主脚４・４の間には水平にステップ５・５が掛けられて、梯子状に組まれている。主脚４・４としては鋼製の丸パイプが使用されている。主脚４・４の下端には、相対する側にそれぞれ突出する半円筒形のブラケット６が取付けられている。
【００１１】
ブラケット６・６には、左右両ブラケット６・６間に跨るステップ１３が掛け渡されている。ブラケット６・６には側面にピン７がそれぞれ軸８止めされている。ピン７はそのバランスによって、常にブラケット６の内側に向って先端が出没する方向へ振れている。各ブラケット６の中には伸縮脚９がそれぞれ通してあって、主脚４と伸縮脚９が平行であって、それらの長手方向に自在に移動可能である。実施例では、伸縮脚９は主脚４と同じく同径の丸パイプを採用している。伸縮脚９・９の上端には、半円筒形のガイドブラケット１０・１０が側面に突出してあり、そのガイドブラケット１０・１０の中に、それぞれ主脚４・４が通してある。このように主脚４と伸縮脚９は、ブラケット６とガイドブラケット１０によって連結されて、かつ相対的に移動可能なようになっている。
【００１２】
伸縮脚９・９には、それぞれ向き合う側の側面に、長手方向に適宜間隔づつ離れて複数個の孔１１が形成されている。この実施例では孔１１は伸縮脚９・９に設けたが、逆に孔１１を主脚４・４側に、ピン７を伸縮脚９・９側に設けることも可能である。両伸縮脚９・９の下端には、両者に掛け渡されて下方へ張り出る張出し部１２が固定されている。
【００１３】
以上のような台座の立脚作業につき説明すると、まず台板１を下にして脚部２・２を左右に開き、これにクロスバー３・３をかけて脚部２・２のの開き角度を固定してから逆さにして立脚する。高さが足りない場合は、張出し部１２を押し下げて、伸縮脚９・９を主脚４・４に対して下方に移動させ、脚部２・２全体の長さを伸ばす。適宜長さのとき、ピン７・７を伸縮脚９・９の適宜孔１１に係止させてその長さを決定する。脚部２・２を短くする場合は、ピン７・７を孔１１・１１から退出させ、伸縮脚９・９を主脚４・４に対して上方に移動させて縮める。
【００１４】
【発明の効果】
この発明は以上のような構成を有し、以下の効果を得ることができる。
▲１▼主脚を伸縮脚に対して相対的に移動可能としたため、主脚に対する伸縮脚の位置を変えることによって、脚部全体の長さを伸縮でき、台座等の適宜高さを設定可能である。
▲２▼一方の脚を他方の脚の中に収納するのではなく、両者を平行に配して相対的に移動可能としたため、両脚の太さ、外径、肉厚が限定されることなく、所望の強度の脚部とすることができる。
▲３▼一方の脚を他方の脚の中に収納していないため、脚の側面が損傷したとしても、脚部の伸縮が損なわれるようなことがない。
▲４▼脚部としてパイプ状部材を使用することにより、既製の材料を使用して安価に製造できるとともに、全体の重量を軽量化できる。
【図面の簡単な説明】
【図１】この発明にかかる伸縮脚部を採用した台座の斜視図である。
【図２】脚部の正面図である。
【図３】図２の一部切り欠き拡大図である。
【図４】従来の伸縮脚の斜視図である。
【符号の説明】
１  台板
２  脚部
３  クロスバー
４  主脚
５  ステップ
６  ブラケット
７  ピン
８  軸
９  伸縮脚
１０  ガイドブラケット
１１  孔
１２  張出し部
１３  ステップ
【図１】
2004332353.tif 000003
【図２】
2004332353.tif 000004
【図３】
2004332353.tif 000005
【図４】
2004332353.tif 000006